(57)【要約】 【課題】  発光素子の光学調整を精度良く行うことができ、発光素子の組立て固定後の位置の再調整が容易である光ピックアップ装置および光ピックアップ装置の発光素子の装着方法を提供する。【解決手段】  光ピックアップ装置１００は、半導体レーザ素子７と、半導体レーザ素子を移動可能に保持する半導体レーザ素子駆動装置８と、半導体レーザ素子駆動装置８を制御して、導光手段に対する半導体レーザ素子７の相対的な位置決めを行うＣＰＵ１３とを含み、半導体レーザ素子７の光学調整を半導体レーザ素子駆動装置８によって行う。【選択図】      図１
2008152880.tif 000002
【特許請求の範囲】
【請求項１】
１または複数の発光素子と、
前記発光素子に対応する１または複数の受光素子と、
前記発光素子からの光を、記録媒体が設けられるべき予め定める領域に導き、前記記録媒体によって反射された光を、前記発光素子に対応する前記受光素子に導く導光手段と、
前記発光素子のうち少なくともいずれか１つを移動可能に保持する発光素子駆動手段と、
前記発光素子駆動手段を制御して、前記導光手段に対する前記発光素子の相対的な位置決めを行う制御手段と、
を含むことを特徴とする光ピックアップ装置。
【請求項２】
前記発光素子を複数有し、すべての発光素子が前記発光素子駆動手段に個別に保持されることを特徴とする請求項１に記載の光ピックアップ装置。
【請求項３】
前記発光素子を複数有し、
一部の発光素子は、前記発光素子駆動手段に保持され、
残部の発光素子は、前記導光手段に対して、相対的に固定して設けられていることを特徴とする請求項１に記載の光ピックアップ装置。
【請求項４】
前記発光素子は、複数の種類の波長の光を出力可能であることを特徴とする請求項１に記載の光ピックアップ装置。
【請求項５】
前記制御手段は、前記発光素子駆動手段に電気的信号を与えることによって、前記発光素子駆動手段を駆動し、
前記発光素子駆動手段は、前記電気的信号を調整するための半固定抵抗を含むことを特徴とする請求項１に記載の光ピックアップ装置。
【請求項６】
前記発光素子が設けられるべき位置に前記発光素子を設けるために、前記制御手段が前記発光素子駆動手段に与える電気的信号を表す電気信号情報を記憶する記憶手段をさらに含み、
前記制御手段は、前記記憶手段に記憶される電気信号情報に基づいて前記発光素子駆動手段を制御することを特徴とする請求項１に記載の光ピックアップ装置。
【請求項７】
環境温度を検出する温度検出手段をさらに含み、
前記記憶手段は、複数の環境温度条件およびこれらの環境温度条件にそれぞれ対応する、前記発光素子の位置調整のための補正情報を記憶し、
前記制御手段は、前記温度検出手段によって検出された環境温度を、前記記憶手段に記憶された環境温度条件に照らし合わせて前記補正情報を決定し、決定した補正情報に基づいて発光素子駆動手段に与える電気的信号を補正することを特徴とする請求項６に記載の光ピックアップ装置。
【請求項８】
前記導光手段は、複数の光学素子を含み、
前記光学素子のうち、少なくともいずれか１つにこの光学素子を移動可能に保持する光学素子駆動手段をさらに有し、
前記記憶手段は、前記光学素子の移動に伴って生じる光学系と発光素子との光軸のずれを補正するための補正情報をさらに記憶し、
前記制御手段は、前記記憶手段に記憶される前記電気信号情報および前記補正情報に基づいて、前記発光素子駆動手段を制御することを特徴とする請求項６に記載の光ピックアップ装置。
【請求項９】
前記記憶手段は、前記発光素子を前記発光素子が設けられるべき位置に設けたときに受光素子によって得られるフォーカスエラー信号情報およびトラッキングエラー信号情報を予め記憶し、
前記制御手段は、受光素子によって得られるフォーカスエラー信号情報およびトラッキングエラー信号情報が、前記記憶手段に記憶されたフォーカスエラー信号情報およびトラッキングエラー信号情報と一致するように発光素子駆動手段に電気的信号を与えることを特徴とする請求項６に記載の光ピックアップ装置。
【請求項１０】
光ピックアップ装置における発光素子の装着方法であって、
前記発光素子を移動可能に保持する発光素子駆動装置に前記発光素子を接着剤によって固定し、
前記発光素子駆動装置に固定された発光素子を光ピックアップ装置のハウジングに近接させて、発光素子およびハウジングにわたって紫外線硬化樹脂を塗布し、
前記発光素子駆動装置を駆動することによって、発光素子を移動させて光学調整を行い、
光学調整を行った後に、紫外線の照射によって紫外線硬化樹脂を硬化させて、前記発光素子をハウジングに固定することを特徴とする光ピックアップ装置の発光素子の装着方法。
【請求項１１】
前記発光素子を、発光素子駆動装置にホットメルト型接着剤によって固定し、
前記発光素子をハウジングに固定した後に、前記ホットメルト型接着剤を加熱して、前記発光素子駆動装置と、前記発光素子とを切り離すことを特徴とする請求項１０に記載の光ピックアップ装置の発光素子の装着方法。
【発明の詳細な説明】
【技術分野】
【０００１】
本発明は発光素子からの光ビームによって光記録媒体などの情報記録媒体上に微小なビームスポットを形成し、情報の記録再生もしくは消去を行う光ピックアップ装置および光ピックアップ装置の発光素子の装着方法に関する。
【背景技術】
【０００２】
光ピックアップ装置は、光記録媒体に光ビームを照射し、反射光を受光して信号を読取り、読取ったサーボエラー信号に基づいてフィードバック制御を行って、光ビームを光記録媒体上のトラックに追従させる。
【０００３】
サーボエラー信号は、フォーカスエラー信号とトラッキングエラー信号との２つがある。フォーカスエラー信号は、光記録媒体に対してフォーカス方向のずれを示す信号で、対物レンズの位置と光記録媒体の情報記録面との間隔、および対物レンズの位置と情報記録面のビット列との相対位置を一定の条件に維持する。また、トラッキングエラー信号は、光記録媒体上に集光された光のトラック中心からのずれに対応した信号で、この信号をもとに光ビームを正確にトラックに追従させる。
【０００４】
従来、光ピックアップ装置における発光素子の取付けは、受光素子からの信号を増幅した信号であるＲＦ（Radio Frequency）信号、およびＲＦ信号から生成されたクロック信号などの出力信号を確認しながら光学調整した後に、固定することによって行われていた。
【０００５】
固定して設けられる発光素子の光学調整については、たとえば、第１の従来技術では、フォーカスサーボが動作しているときは、フォーカスレンズのみがディスクのゆれに追随して動いているため、半導体レーザ素子とディスクとの間の距離が一定になっておらず、ディスクからの反射光の一部が再び発光内に戻るときの位相が一致していないことにより、常に雑音が発生してしまうという課題を取り上げている。これに対応すべく、第１の従来技術では、半導体レーザ素子、ビームスプリッタ、レンズ、および光検出素子などの光学部品を一体として駆動させ、ディスクの変位に追随させる構成を採ることよって、半導体レーザ素子とディスクとの距離を最適値に設定している。（たとえば、特許文献１参照）。
【０００６】
また、光ピックアップ装置は、部品の工作誤差または組立て誤差、さらに対物レンズをトラッキング方向に移動可能に支持するトラッキング板ばねの反力によって生じる釣合い位置のずれなどによって、トラッキング制御を行わない自然状態において、半導体レーザ素子からの平行光束の光軸と対物レンズの光軸とが、最初からずれていることが多い。これに対応すべく、第２の従来技術では、トラッキング制御を行わない自然状態において、半導体レーザ素子からの平行光束の光軸と対物レンズの光軸とが一致するように、レンズ位置検出器から出されるレンズ位置信号に一定のバイアスを印加することによって、より正確なトラッキング制御を行うようにしている。（たとえば、特許文献２参照）。
【０００７】
第３の従来技術では、調整ねじまたはコイルスプリングなどで行っていた半導体レーザ素子の傾角調整を、保持したホルダを揺動可能に保持する取付具を介して光学系フレームに接着剤で接合固定することによって、半導体レーザ素子を取付ける段階で縦横方向での位置調整および傾角調整を容易に行うことを可能にし、部品点数を削減している（たとえば、特許文献３参照）。
【０００８】
【特許文献１】特開昭６０−２５８７４１号公報
【特許文献２】特開昭６３−２６８３８号公報
【特許文献３】特開２００６−１３４４０８号公報
【発明の開示】
【発明が解決しようとする課題】
【０００９】
この光ピックアップ装置の光学調整はミクロン単位の位置精度が要求されるため、第１および第２の従来技術では調整の精度に限界があり、さらに調整作業に多くの時間を費やしてしまう。また作業者の習熟度によるバラツキが大きく、光ピックアップ装置の生産における歩留まりの低下に影響を与えてしまう。その結果、光ピックアップ装置の生産性の低下およびコストアップに繋がってしまう。
【００１０】
さらに、このように組立てられた光ピックアップ装置において、半導体レーザ素子およびレンズは温度特性を有しており、環境温度が上昇すると半導体レーザ素子の発信波長が伸び、レンズの屈折率が変化する。このため、光ピックアップ装置の使用環境についての制限があった。また、マルチメディア対応の光ピックアップ装置は、複数の波長を同じ光学系で利用するため、色収差発生の問題および半導体レーザ素子の出光量と受光素子の受光量の比である結合効率の低下によって、半導体レーザ素子の性能を十分に活かしきれないといった問題を抱えている。
【００１１】
第３の従来技術では、半導体レーザ素子を縦横方向で位置調整した後に角度の調整を行って接合固定することが可能であり、組立ても容易であるが、組立て固定後に半導体レーザ素子の位置を再調整することは難しいと考えられる。
【００１２】
本発明の目的は、発光素子の光学調整を精度良く行うことができ、発光素子の組立固定後の位置の再調整が容易である光ピックアップ装置および光ピックアップ装置の発光素子の装着方法を提供することである。
【課題を解決するための手段】
【００１３】
本発明は、１または複数の発光素子と、
前記発光素子に対応する１または複数の受光素子と、
前記発光素子からの光を、記録媒体が設けられるべき予め定める領域に導き、前記記録媒体によって反射された光を、前記発光素子に対応する前記受光素子に導く導光手段と、
前記発光素子のうち少なくともいずれか１つを移動可能に保持する発光素子駆動手段と、
前記発光素子駆動手段を制御して、前記導光手段に対する前記発光素子の相対的な位置決めを行う制御手段と、
を含むことを特徴とする光ピックアップ装置である。
【００１４】
また本発明は、前記発光素子を複数有し、すべての発光素子が前記発光素子駆動手段に個別に保持されることを特徴とする。
【００１５】
また本発明は、前記発光素子を複数有し、
一部の発光素子は、前記発光素子駆動手段に保持され、
残部の発光素子は、前記導光手段に対して、相対的に固定して設けられていることを特徴とする。
【００１６】
また本発明は、前記発光素子は、複数の種類の波長の光を出力可能であることを特徴とする。
【００１７】
また本発明は、前記制御手段は、前記発光素子駆動手段に電気的信号を与えることによって、前記発光素子駆動手段を駆動し、
前記発光素子駆動手段は、前記電気的信号を調整するための半固定抵抗を含むことを特徴とする。
【００１８】
また本発明は、前記発光素子が設けられるべき位置に前記発光素子を設けるために、前記制御手段が前記発光素子駆動手段に与える電気的信号を表す電気信号情報を記憶する記憶手段をさらに含み、
前記制御手段は、前記記憶手段に記憶される電気信号情報に基づいて前記発光素子駆動手段を制御することを特徴とする。
【００１９】
また本発明は、環境温度を検出する温度検出手段をさらに含み、
前記記憶手段は、複数の環境温度条件およびこれらの環境温度条件にそれぞれ対応する、前記発光素子の位置調整のための補正情報を記憶し、
前記制御手段は、前記温度検出手段によって検出された環境温度を、前記記憶手段に記憶された環境温度条件に照らし合わせて前記補正情報を決定し、決定した補正情報に基づいて発光素子駆動手段に与える電気的信号を補正することを特徴とする。
【００２０】
また本発明は、前記導光手段は、複数の光学素子を含み、
前記光学素子のうち、少なくともいずれか１つにこの光学素子を移動可能に保持する光学素子駆動手段をさらに有し、
前記記憶手段は、前記光学素子の移動に伴って生じる光学系と発光素子との光軸のずれを補正するための補正情報をさらに記憶し、
前記制御手段は、前記記憶手段に記憶される前記電気信号情報および前記補正情報に基づいて、前記発光素子駆動手段を制御することを特徴とする。
【００２１】
また本発明は、前記記憶手段は、前記発光素子を前記発光素子が設けられるべき位置に設けたときに受光素子によって得られるフォーカスエラー信号情報およびトラッキングエラー信号情報を予め記憶し、
前記制御手段は、受光素子によって得られるフォーカスエラー信号情報およびトラッキングエラー信号情報が、前記記憶手段に記憶されたフォーカスエラー信号情報およびトラッキングエラー信号情報と一致するように発光素子駆動手段に電気的信号を与えることを特徴とする。
【００２２】
また本発明は、光ピックアップ装置における発光素子の装着方法であって、
前記発光素子を移動可能に保持する発光素子駆動装置に前記発光素子を接着剤によって固定し、
前記発光素子駆動装置に固定された発光素子を光ピックアップ装置のハウジングに近接させて、発光素子およびハウジングにわたって紫外線硬化樹脂を塗布し、
前記発光素子駆動装置を駆動することによって、発光素子を移動させて光学調整を行い、
光学調整を行った後に、紫外線の照射によって紫外線硬化樹脂を硬化させて、前記発光素子をハウジングに固定することを特徴とする光ピックアップ装置の発光素子の装着方法である。
【００２３】
また本発明は、前記発光素子を、発光素子駆動装置にホットメルト型接着剤によって固定し、
前記発光素子をハウジングに固定した後に、前記ホットメルト型接着剤を加熱して、前記発光素子駆動装置と、前記発光素子とを切り離すことを特徴とする。
【発明の効果】
【００２４】
本発明によれば、光ピックアップ装置は、１または複数の発光素子と、発光素子のうち少なくともいずれか１つを移動可能に保持する発光素子駆動手段と、発光素子駆動手段を制御して、前記導光手段に対する前記発光素子の相対的な位置決めを行う制御手段とを含む。
【００２５】
光記録媒体で反射された光を集光して受光素子で光電変換した後、ＣＰＵで処理して、得られた情報を表示装置で確認しながら発光素子の位置および姿勢を調整し、光ピックアップ装置を組立てた後においても発光素子駆動手段を制御することによって、発光素子の位置および姿勢を最適化させることが可能である。発光素子の光学調整を発光素子駆動手段によって行うことによって、人的な調整ばらつきを排除することができ、光ピックアップ装置の歩留まりを改善して生産性の向上およびコストダウンを図ることができる。また、本発明によって、優れた結合効率によって発光素子の性能を引き出すことが可能であり、光ピックアップ装置の性能向上に寄与することができる。
【００２６】
また本発明によれば、発光素子を複数有し、すべての発光素子が前記発光素子駆動手段に個別に保持されているため、光ピックアップ装置を組立てた後に発光素子駆動手段を制御することによって、複数の発光素子の位置および姿勢を効率よく最適化させることが可能である。また、複数の発光素子の光学調整を発光素子駆動手段によって行うことによって、人的な調整ばらつきを排除することができ、光ピックアップ装置の歩留まりを改善し、生産性の向上およびコストダウンを図ることができる。
【００２７】
また本発明によれば、発光素子を複数有し、一部の発光素子は、発光素子駆動手段に保持され、残部の発光素子は、導光手段に対して、相対的に固定して設けられていることによって、一部の発光素子についてのみ、発光素子駆動手段によって光学調整を行うため、発光素子駆動手段の設置による光ピックアップ装置の体積増加を選択的に抑制することができる。
【００２８】
また本発明によれば、発光素子は、複数の種類の波長の光を出力可能であるため、発光素子駆動手段を制御することによって、それぞれの波長に対して適切な位置に、複数の発光素子の位置および姿勢を効率よく最適化させることが可能となる。
【００２９】
また本発明によれば、制御手段は、発光素子駆動手段に電気的信号を与えることによって、発光素子駆動手段を駆動し、発光素子駆動手段は、電気的信号を調整するための半固定抵抗を含むため、光学系組立て後に発光素子駆動手段に与える電気信号を半固定抵抗の抵抗値を変化させて調整することによって、発光素子の位置および姿勢を精度良く最適化させることが可能である。電気的な光学調整手段を有しているため、人的な調整のばらつきを排除することができ、発光素子の配置の再調整も容易である。
【００３０】
また本発明によれば、最適な位置に発光素子を設けるために、記憶手段は、光学素子の移動に伴って生じる光学系と発光素子との光軸のずれを補正するための補正情報を記憶し、制御手段は、記憶された前記電気信号情報および補正情報に基づいて、発光素子駆動手段を制御するため、光ピックアップ装置を駆動させるたびに最適な光学配置を再現することが可能である。
【００３１】
また本発明によれば、環境温度を検出する温度検出手段をさらに含み、記憶手段は、複数の環境温度条件およびこれらの環境温度条件にそれぞれ対応する、発光素子の位置調整のための補正情報を記憶し、制御手段は、前記温度検出手段によって検出された環境温度を、前記記憶手段に記憶された環境温度条件に照らし合わせて前記補正情報を決定し、決定した補正情報に基づいて発光素子駆動手段に与える電気的信号を補正する。したがって、記憶された環境温度条件別の発光素子駆動手段の補正情報を環境変化に応じて利用することによって、温度変化によって発光素子の波長変化で屈折率が変わり、合焦点がずれるというような温度依存性がない光ピックアップ装置を提供することが可能となる。
【００３２】
また本発明によれば、導光手段は、複数の光学素子を含み、光学素子のうち、少なくともいずれか１つにこの光学素子を移動可能に保持する光学素子駆動手段をさらに有する。記憶手段は、光学素子の移動に伴って生じる光学系と発光素子との光軸のずれを補正するための補正情報をさらに記憶し、制御手段は、記憶された電気信号情報および補正情報に基づいて、発光素子駆動手段を制御する。このため、本発明の光ピックアップ装置は、より最適な光学調整を行うことができる。たとえば、光ピックアップ装置の位置を光記録媒体のラジアル方向に移動させずに、対物レンズだけを移動させてトラッキングするというような場合においても、発光素子駆動手段で発光素子の姿勢を微調整することによって、対物レンズの光軸が発光素子の光軸からずれることに基づくトラッキングエラーノイズの低減を図ることができる。発光素子の光軸とは、出射方向に平行でかつ発光素子の発光部を通る軸線をいう。
【００３３】
また本発明によれば、記憶手段は、発光素子を発光素子が設けられるべき位置に設けたときに受光素子によって得られるフォーカスエラー信号情報およびトラッキングエラー信号情報を予め記憶し、制御手段は、受光素子によって得られるフォーカスエラー信号情報およびトラッキングエラー信号情報が、記憶手段に記憶されたフォーカスエラー信号情報およびトラッキングエラー信号情報と一致するように発光素子駆動手段に電気的信号を与える。したがって、正確な光学調整が可能となり、特に、レンズの位置のずれが発生するなどの不具合が発生したときには、記憶したエラー信号情報に基づいて電気信号を流すことによって、再度光学調整が可能となる。
【００３４】
また本発明によれば、光ピックアップ装置における発光素子の装着方法は、発光素子を移動可能に保持する発光素子駆動装置に発光素子を接着剤によって固定し、発光素子駆動装置に固定された発光素子を光ピックアップ装置のハウジングに近接させて、発光素子およびハウジングにわたって紫外線硬化樹脂を塗布し、発光素子駆動装置を駆動することによって、発光素子を移動させて光学調整を行い、光学調整を行った後に、紫外線の照射によって紫外線硬化樹脂を硬化させて、発光素子をハウジングに固定する。したがって、発光素子駆動装置を駆動することによって、発光素子の位置および姿勢を最適化させた後、発光素子をハウジングに固定するので、人的な調整ばらつきを排除することができ、光ピックアップ装置の歩留まりを改善して生産性の向上およびコストダウンを図ることができる。
【００３５】
また本発明によれば、光ピックアップ装置の発光素子の装着方法は、発光素子を、発光素子駆動装置にホットメルト型接着剤によって固定し、発光素子をハウジングに固定した後に、ホットメルト型接着剤を加熱して、発光素子駆動装置と、発光素子とを切り離すので、発光素子駆動装置を他の光ピックアップ装置の組立てに再利用することができ、光ピックアップ装置のコストダウンにつながる。また、製造段階で発光素子駆動手段を取りはずすことによって、商品の小型化を図ることができる。
【発明を実施するための最良の形態】
【００３６】
図１は、本発明の第１の実施の形態である光ピックアップ装置５０を含む光記録再生装置１００の構造を概略的に示した図である。
【００３７】
光ピックアップ装置５０は光記録媒体１に情報を記録および／または光記録媒体１から情報を再生する光記録再生装置１００に備えられる。光記録再生装置１００は、ディスク状の光記録媒体１を回転させるためのスピンドルモータ２と、スピンドルモータ２の回転速度を制御するスピンドルモータドライバ１２と、光ピックアップ装置５０とを含む。
【００３８】
光ピックアップ装置５０は、スピンドルモータ２に保持される光記録媒体１の半径方向に移動可能に設けられ、光記録媒体１に記録された情報を再生および／または情報を記録する光ピックアップ部６０と、制御プログラムを実行処理することによって制御手段として機能するＣＰＵ（Central Processing Unit）１３とからなる。
【００３９】
光ピックアップ部６０は、発光素子である半導体レーザ素子７と、半導体レーザ素子ドライバ１１と、半導体レーザ素子駆動手段である半導体レーザ素子駆動装置８および半導体レーザ素子駆動装置ドライバ１０と、光学素子であるコリメートレンズ４、ビームスプリッタ５、立上げミラー９、対物レンズ３、および集光レンズ１４を有する導光手段と、光学素子駆動手段である対物レンズ駆動装置１５および対物レンズ駆動装置ドライバ２４と、受光素子６とを含んで構成される。
【００４０】
半導体レーザ素子７は、レーザ光を出射する。半導体レーザ素子ドライバ１１は、半導体レーザ素子７の出力を制御する。半導体レーザ素子駆動装置８は、半導体レーザ素子７を所定の位置に保持する。半導体レーザ素子駆動装置ドライバ１０は、半導体レーザ素子駆動装置８を制御する。
【００４１】
図２は、半導体レーザ素子駆動装置８の構造を示す平面図であり、図３は、半導体レーザ素子駆動装置８の構造を示す正面図である。
【００４２】
半導体レーザ素子７は、半導体レーザ素子本体４４と、半導体レーザ素子本体の光軸方向の一端部に設けられ、光軸に垂直な方向に突出する突出部４５と、前記一端部から光軸方向一方に突出する接続端子４６とを含む。
【００４３】
半導体レーザ素子用駆動装置８は、筒状に形成されている支持体４２と、支持体４２に設けられるコイル３８，３９からなり、コイル３８，３９の端子によって、ハウジング２９に固定されている。支持体４２には、半導体レーザ素子７の接続端子４６を挿通する挿通孔４７が形成される。半導体レーザ素子７は半導体レーザ素子駆動装置８の支持体４２に取付けられている。また、情報記録面に対してフォーカス方向に延びる棒状の磁性体４０がコイル３８を挿通するようにハウジング２９に取付けられるとともに、コイル３９にコイル巻線面に平行な面、すなわちコイル３９の軸線方向に垂直な面に対抗して磁性体４１がハウジング２９に取付けられる。半導体レーザ素子駆動装置８は、コイル３８に流れる電流と磁性体４０の磁力の作用によって発生する力を用いてフォーカス方向の調整が可能となり、コイル３９に流れる電流と磁性体４１の磁力の作用によって発生する力を用いてラジアル方向の位置決め調整が可能となる。半導体レーザ素子７によって発生される光ビームを光記録媒体１の情報記録面に正確に合焦させるために、半導体レーザ素子用駆動装置ドライバ１０は、光ビームを光軸方向、いわゆるフォーカス方向に制御するフォーカシング制御と、情報記録面の信号トラックに追従させるために光ビームを光記録媒体１のラジアル方向（信号トラックの垂直方向）、いわゆるトラッキング方向に制御するトラッキング制御とを行うことができる。
【００４４】
図１にもどって、コリメートレンズ４は、半導体レーザ素子７から出射され入射する光を平行光とする。対物レンズ３は、光記録媒体１に光を集光する。対物レンズ３は、半導体レーザ素子７から出射された往路光を光記録媒体１のカバー層を透過させて情報記録面に集光し、情報記録面上に光スポットを形成する。ビームスプリッタ５は、コリメートレンズ４と立上げミラー９との間に設けられ、半導体レーザ素子７から出射される光を透過し、光記録媒体１で反射される光を反射して集光レンズ１４に導く。対物レンズ駆動装置１５は、光記録媒体１の情報記録面に垂直な方向であるフォーカス方向および光記録媒体１の半径方向であるトラッキング方向に対物レンズ３を移動可能に保持する。対物レンズ駆動装置ドライバ２４は、対物レンズ駆動装置１５を制御する。立上げミラー９は、半導体レーザ素子７から出射された往路光を光記録媒体１に向けて反射し、光記録媒体１から反射された反射光を半導体レーザ素子７に向けて反射する。受光素子６は、ビームスプリッタ５によって反射された光を受光し、受光した光を光電変換する。集光レンズ１４は、ビームスプリッタ５によって反射した光を受光素子６に向けて集束する。
【００４５】
ＣＰＵ１３は、半導体レーザ素子ドライバ１１、半導体レーザ素子駆動装置ドライバ１０、対物レンズ駆動装置ドライバ２４を制御する。
【００４６】
また、信号表示装置１６は、ＲＦ信号およびＲＦ信号から生成されたクロック信号などの出力信号を表示する。入力装置１７は、半導体レーザ素子７の位置決め調整、光記録媒体１の再生、および記録などの指示を受け、ＣＰＵ１３に伝達する。
【００４７】
図４は、組立て工程において、半導体レーザ素子７の位置決め調整を行う場合のフローチャートを示した図である。入力装置１７が半導体レーザ素子駆動装置８の位置決め調整の指示を受け、ＣＰＵ１３に伝達したとき、ステップＡ１に移る。ステップＡ１で、半導体レーザ素子７を発光させてステップＡ２に移る。ステップＡ２では、半導体レーザ素子７の光軸を調整してステップＡ３に移る。ステップＡ３では、半導体レーザ素子駆動装置８を固定してステップＡ４に移る。ステップＡ４では、半導体レーザ素子駆動装置８に基準電圧を印加してステップＡ５に移る。ステップＡ５では、光学素子であるコリメートレンズ４、ビームスプリッタ５、立上げミラー９、対物レンズ３、および集光レンズ１４および受光素子６の位置のバランスを調整してステップＡ６に移る。ステップＡ６では、受光素子６を固定してステップＡ７に移る。ステップＡ７では、光記録媒体１を回転させてステップＡ８に移る。ステップＡ８では、トラッキングサーボを駆動させてステップＡ９に移る。ステップＡ９では、対物レンズ煽りを調整してステップＡ１０に移る。ステップＡ１０では、対物レンズ駆動装置１５を固定してステップＡ４に移る。ステップＡ１１では、半導体レーザ素子駆動装置８によって半導体レーザ素子７の位置を微調整して終了する。
【００４８】
光ピックアップ装置５０では、半導体レーザ素子７から発光された光は、コリメートレンズ４によって略並行な光となって、ビームスプリッタ５を透過する。透過した光は立上げミラー９で反射されて向きを変え、対物レンズ３で集光されて光記録媒体１の情報記録面に焦点を結び、反射される。光記録媒体１で反射された光は、再び対物レンズ３および立上げミラー９を介してビームスプリッタ５に戻り、ここで反射されて集光レンズ１４で集光され、受光素子６で受光される。受光された光は、受光素子６で光電変換された後、ＣＰＵ１３で処理されて表示装置１６で視覚化される。
【００４９】
したがって、従来、表示装置１６の情報を確認しながら半導体レーザ素子７の位置および姿勢を調整し、組立てを行っていたのに対し、本発明では、光学系の組立て後に半導体レーザ素子駆動装置８に与える電気信号を調整することによって、半導体レーザ素子７の位置および姿勢を最適化させ、さらに歩留まりを向上させることが可能である。
【００５０】
なお、図１では半導体レーザ素子と受光素子とはそれぞれ単体デバイスを使用した例を記載しているが、半導体レーザ素子とホログラム光学素子を一体化させたユニットデバイスを使用することも可能である。
【００５１】
また、本実施形態においては、受光素子６を複数備え、導光手段によって光記録媒体１によって反射された光を、対応する受光素子６に導くようにすることも可能である。
【００５２】
図５は、本発明の第２の実施の形態である光ピックアップ装置における光ピックアップ部６１の構造を概略的に示した図である。光ピックアップ部６１は、図１に示す光ピックアップ部６０に類似し、光ピックアップ部６０に加えて、第２の半導体レーザ素子２３、半導体レーザ素子駆動装置２２、半導体レーザ素子ドライバ２５、半導体レーザ素子駆動装置ドライバ２８、コリメートレンズ２６、およびビームスプリッタ２７を含む。なお、ＣＰＵ１３は、第１の実施の形態と同様の構成であるため、省略している。以後、本発明の第１の実施の形態と同様の構成には、同様の参照符号を付してその説明を省略する場合がある。
【００５３】
光ピックアップ部６１では、第１の半導体レーザ素子７および第２の半導体レーザ素子２３が備えられている。第１の半導体レーザ素子７は、第１の実施の形態と同様に、半導体レーザ素子駆動装置８によって所定の位置に保持され、第２の半導体レーザ素子７３は、半導体レーザ素子駆動装置２２によって、所定の位置に保持されている。これらの半導体レーザ素子７，２３は目的に応じて使い分けることが可能である。導光手段は、コリメートレンズ２６およびビームスプリッタ２７をさらに含む。コリメートレンズ４とビームスプリッタ５との間にビームスプリッタ２７が設けられる。
【００５４】
光ピックアップ部６１では、半導体レーザ素子７から発光された光は、コリメートレンズ４によって略並行な光となって、ビームスプリッタ２７，５を透過する。透過した光は、立上げミラー９で反射されて向きを変え、対物レンズ３で集光されて光記録媒体１の情報記録面に焦点を結び、反射される。光記録媒体１で反射された光は、再び対物レンズ３および立上げミラー９を介してビームスプリッタ５に戻り、ここで反射されて集光レンズ１４で集光され、受光素子６で受光される。
【００５５】
第２の半導体レーザ素子２３から発光された光は、コリメートレンズ２６で略並行にされた後、ビームスプリッタ２７によって反射されてビームスプリッタ５へ入り、ビームスプリッタ５を透過する。透過した光は、立上げミラー９で反射されて向きを変え、対物レンズ３で集光されて光記録媒体１の情報記録面に焦点を結び、反射される。光記録媒体１で反射された光は、再び対物レンズ３および立上げミラー９を介してビームスプリッタ５に戻り、ここで反射されて集光レンズ１４で集光され、受光素子６で受光される。
【００５６】
このような構成にすると、光ピックアップ装置を組立てた後に複数の発光素子駆動手段を制御することによって、複数の発光素子の位置および姿勢を効率よく最適化させることが可能である。また、複数の発光素子の光学調整を発光素子駆動手段によって行うことによって、人的な調整ばらつきを排除することができ、光ピックアップ装置の歩留まりを改善し、生産性の向上およびコストダウンを図ることができる。
【００５７】
図６は、本発明の第３の実施の形態である光ピックアップ装置における光ピックアップ部６２の構造を概略的に示した図である。光ピックアップ部６２は、図５に示す光ピックアップ部６１に類似し、図１に示す光ピックアップ部６０に加えて、第２の半導体レーザ素子３０、ハウジング２９、半導体レーザ素子ドライバ３１、コリメートレンズ２６、およびビームスプリッタ２７を含む。
【００５８】
本発明の第３の実施の形態である光ピックアップ部６２では、第１の半導体レーザ素子７および第２の半導体レーザ素子３０が備えられている。第１の半導体レーザ素子７は、第１の実施の形態と同様に、半導体レーザ素子駆動装置８によって所定の位置に保持され、第２の半導体レーザ素子３０は、ハウジング２９に固定して設けられている。これらの半導体レーザ素子７，３０は目的に応じて使い分けることが可能である。光学系の組立て後に半導体レーザ素子駆動装置８に与える電気信号を調整することによって、半導体レーザ素子７の位置および姿勢を最適化させる。第２の半導体レーザ素子３０はハウジング２９に固定的に取付けられており、第２の実施の形態の光ピックアップ部６１のように、すべての半導体レーザ素子を半導体レーザ素子駆動装置によって保持させる場合と比較して、部品数が少なくなり、光ピックアップ装置の体積増加を抑制することができる。
【００５９】
図７は、本発明の第４の実施の形態である光ピックアップ装置の光ピックアップ部６３の構造を概略的に示した図である。光ピックアップ部６３は、図１に示す光ピックアップ部６０に類似し、半導体レーザ素子３２、半導体レーザ素子駆動装置３３、半導体レーザ素子ドライバ３５、および半導体レーザ素子駆動装置ドライバ３４を備える点が光ピックアップ部６０と異なる。
【００６０】
光ピックアップ部６３では、複数の種類の波長の光を出力することが可能な半導体レーザ素子３２が備えられている。
【００６１】
半導体レーザ素子３２は、たとえば、光記録媒体１がＣＤ（Compact Disk）であるときは波長７８０ｎｍの赤色光を出射し、ＤＶＤ（Digital Versatile Disk）であるときは波長６５０ｎｍの赤色光を出射する。さらに、光記録媒体１がＢｌｕ−ｒａｙディスクであるときは波長４０５ｎｍの青紫色光を出射する。
【００６２】
半導体レーザ素子３２にある複数の発光部をそれぞれ発光させるときに、半導体レーザ素子駆動装置３３が、半導体レーザ素子３２のそれぞれの発光部をコリメートレンズ４の合焦点に移動させることによって、半導体レーザ素子３２のすべての発光部について最大のレンズの結合効率を引き出すことが可能となる。また、これらの発光点毎の発光波長が異なる場合に生じる色収差も補正することが可能である。
【００６３】
図８は、本発明の第５の実施の形態である光ピックアップ部６４の構造を概略的に示した図である。光ピックアップ部６４は、図１に示す光ピックアップ部６０に類似し、光ピックアップ部６０に加えて、半固定抵抗２０を含む。
【００６４】
ピックアップ部６４では、半導体レーザ素子７を所定の位置に保持する半導体レーザ素子駆動装置８に半固定抵抗２０の一端が接続されている。半固定抵抗２０の他端は接地されている。半導体レーザ素子７の位置決め調整時の電気的信号を半固定抵抗器２０によって調整するため、光ピックアップ装置の駆動時において最適な光学配置を再現することが可能である。また、半導体レーザ素子７の配置の再調整も容易となる。
【００６５】
図９は、本発明の第６の実施の形態である光ピックアップ装置５３の構造を概略的に示した図である。光ピックアップ装置５３は、図１に示す光ピックアップ装置５０に類似し、光ピックアップ装置５０に加えて、記憶装置１８を含む。
【００６６】
光ピックアップ装置５３では、記憶手段として、半導体メモリなどの記憶装置１８が備えられている。半導体レーザ素子７の位置決め調整時の電気的信号を電圧値として記憶装置１８に記憶させる。
【００６７】
図１０は、組立て工程において、半導体レーザ素子７の位置決め調整時の電気的信号を記憶装置１８に記憶させる場合のフローチャートを示した図である。入力装置１７が半導体レーザ素子７の位置決め調整の指示を受け、ＣＰＵ１３に伝達したとき、ステップＢ１に移る。
【００６８】
ステップＢ１〜ステップＢ１１は、図４に示したステップＡ１〜ステップＡ１１にそれぞれ対応するので、説明は省略する。
【００６９】
ステップＢ１２では、ＰＬＬ(Phase Looked Loop)  Ｃｌｏｃｋの時間軸の変化であるジッタの最良点で半導体レーザ素子駆動装置８への印加電圧を記憶装置１８に記憶させて終了する。
【００７０】
図１１は、光ピックアップ部６０の動作時において、ＣＰＵ１３が記憶された電気的信号を記憶装置１８から読出して、半導体レーザ素子駆動装置８を駆動するための制御を行う場合のフローチャートを示した図である。
【００７１】
図１に示す入力装置１７が半導体レーザ素子７の位置決め調整の指示を受け、ＣＰＵ１３に伝達したとき、ステップＣ１に移る。
【００７２】
ステップＣ１で、記憶装置１８から電気信号情報を読出し、ステップＣ２に移る。ステップＣ２では、半導体レーザ素子駆動装置ドライバ１０に指令を出して、半導体レーザ素子駆動装置８によって、半導体レーザ素子７の位置を微調整し、ステップＣ２に移る。ステップＣ３では、光記録媒体１の再生または記録処理が終了したか否かを判断する。すなわち、再生または記録処理が終了していないと判断した場合には、再びステップＣ３に移る。再生または記録処理が終了したと判断した場合には、ステップＣ４に移る。ステップＣ４では、半導体レーザ素子駆動装置ドライバ１０に電圧印加停止命令を出して終了する。
【００７３】
光ピックアップ装置５３では、記憶装置１８に記憶される電気信号情報に基づいて光学調整をすることによって、光ピックアップ装置５３を駆動させるたびに最適な光学配置を再現することが可能となる。
【００７４】
図１２は、本発明の第７の実施の形態である光ピックアップ装置５４の構造を概略的に示した図である。光ピックアップ装置５４は、図９に示す光ピックアップ装置５３に類似し、光ピックアップ装置５３に加えて、温度検出素子１９を含む。
【００７５】
一般的に半導体レーザ素子は、０．２ｎｍ〜０．３ｎｍ／℃程度の波長温度特性を持っており、環境温度が変化で波長が変化すると、波長収差によって、光学系の焦点距離が変化する。予め焦点距離の温度依存性を調査しておき、焦点距離が変化した場合に、適正な位置に半導体レーザ素子７を移動させるための半導体レーザ素子駆動装置８への印加電圧を記憶装置１８に記憶しておき、記憶した印加電圧を温度特性の補正情報として利用することによって半導体レーザ素子７の位置決め調整を行う。
【００７６】
光ピックアップ装置５４では、環境温度を検出する温度検出手段として、例えばサーミスタのような温度検出素子１９が備えられている。記憶装置１８は、温度検出素子１９によって測定された複数の環境温度条件およびこれらの環境温度条件にそれぞれ対応する、半導体レーザ素子７の位置決め調整のための温度補正情報である電気的信号を電圧値として記憶する。ＣＰＵ１３は、温度検出素子１９によって検出された環境温度を、記憶装置１８に記憶された環境温度条件に照らし合わせて温度補正情報を決定した後、決定した温度補正情報に基づいて半導体レーザ素子駆動装置８に与える電気的信号を補正する。
【００７７】
図１３は、ＣＰＵ１３が環境温度の条件毎に半導体レーザ素子７の位置決め調整のための温度補正情報を、記憶装置１８に記憶させる場合のフローチャートを示した図である。入力装置１７が半導体レーザ素子７の位置決め調整の指示を受け、ＣＰＵ１３に伝達したとき、ステップＤ１に移る。
【００７８】
ステップＤ１〜ステップＤ１０は、図４に示したステップＡ１〜ステップＡ１０にそれぞれ対応するので、説明は省略する。
【００７９】
ステップＤ１１では、環境温度条件を設定し、ステップＤ１２に移る。ステップＤ１２では、半導体レーザ素子駆動装置８によって、半導体レーザ素子７の位置を微調整し、ステップＤ１２に移る。ステップＤ１３では、ジッタの最良点で半導体レーザ素子駆動装置８への印加電圧と温度データを記憶装置１８に記憶させ、ステップＤ１２に移る。ステップＤ１４では、温度特性評価を終了したか否かを判断する。温度特性評価を終了していないと判断した場合には、ステップＤ１１に移る。温度特性評価を終了したと判断した場合には、本手順も終了する。
【００８０】
図１４は、ＣＰＵ１３が記憶された温度補正情報に基づいて、半導体レーザ素子駆動装置８を制御する場合のフローチャートを示した図である。
【００８１】
入力装置１７が半導体レーザ素子７の位置決め調整の指示を受け、ＣＰＵ１３に伝達したとき、ステップＥ１に移る。ステップＥ１で、記憶装置１８から電気信号情報を読出し、ステップＥ２に移る。ステップＥ２では、半導体レーザ素子駆動装置ドライバ１０に指令を出して、半導体レーザ素子駆動装置８によって、半導体レーザ素子７の位置を微調整し、ステップＥ３に移る。ステップＥ３では、温度検出素子１９に環境温度を検出し、ステップＥ４に移る。ステップＥ４では、記憶装置１８から検出した温度に対応する温度補正情報を読出し、ステップＥ５に移る。ステップＥ５では、半導体レーザ素子駆動装置ドライバ１０に指令を出して、読出した温度補正情報に基づき半導体レーザ素子駆動装置８によって、半導体レーザ素子７の位置を微調整し、ステップＥ６に移る。ステップＥ６では、光記録媒体１の再生または記録処理が終了したか否かを判断する。再生または記録処理が終了していないと判断した場合には、ステップＥ７に移る。再生または記録処理が終了したと判断した場合には、ステップＥ９に移る。ステップＥ７では、再び温度検出素子１９に環境温度を検出させ、ステップＥ８に移る。ステップＥ８では、検出した環境温度に変化があるか否かを判断する。変化があると判断した場合には、ステップＥ４に移る。変化がないと判断した場合には、ステップＥ６に移る。ステップＥ９では、半導体レーザ素子駆動装置ドライバ１０に電圧印加停止命令を出して終了する。
【００８２】
温度変化による半導体レーザ素子７の波長変化で屈折率が変わり、合焦点がずれることがあるが、本実施形態のように、周囲温度条件別に半導体レーザ素子駆動装置８に対する温度補正情報を記憶装置１８に電圧値として格納しておいて、環境変化に応じて適宜利用すれば、温度依存性のない光ピックアップ装置を提供でき、短時間で急激な温度変化に対応可能である。また、ステップＥ７およびステップＥ８を省略してもよく、この場合には、最初に検出した温度の温度補正情報に基づいて半導体レーザ素子駆動装置８を駆動するため、複雑な動作を伴わずに環境温度に対応することができる。
【００８３】
図１５は、本発明の第８の実施の形態である光ピックアップ装置５５の構造の一部を概略的に示した図である。光ピックアップ装置５５は、図９に示す光ピックアップ装置５３と同様の構成であり、光ピックアップ装置５５では、記憶装置１８は、対物レンズ３の移動に伴って生じる対物レンズ３の光軸と半導体レーザ素子７との光軸のずれを補正するための対物レンズ補正情報をさらに記憶する。ＣＰＵ１３は、記憶装置１８に記憶された電気信号情報および対物レンズ補正情報に基づいて、半導体レーザ素子駆動装置８を制御する。
【００８４】
トラッキングする場合において、光ピックアップ装置５５の位置を光記録媒体１のラジアル方向に移動させずに、対物レンズ３だけを移動させてトラッキングすることがあるが、この場合、対物レンズ３の光軸が半導体レーザ素子７の光軸からずれることによって、光量が不足してトラッキングエラーノイズが大きくなる。
【００８５】
図１６は、光ピックアップ装置５５の対物レンズ３だけを移動させてトラッキングした場合の対物レンズ３の光軸と半導体レーザ素子７の光軸とのずれを概略的に示した図である。この場合には、半導体レーザ素子７の光軸が対物レンズ３の中心に近づくように半導体レーザ素子駆動装置８を使って半導体レーザ素子７の姿勢を微調整すれば、トラッキングエラーノイズの低減することができる。
【００８６】
図１７は、半導体レーザ素子７の光軸が対物レンズ３の中心に近づくように半導体レーザ素子駆動装置８を使って半導体レーザ素子７の姿勢を微調整した場合を概略的に示した図である。半導体レーザ素子駆動装置８を使って半導体レーザ素子７の姿勢を微調整することによって、対物レンズ３の光軸と半導体レーザ素子７の光軸とのずれを修正することが可能である。
【００８７】
図１８は、ＣＰＵ１３が記憶された対物レンズ補正情報に基づいて、半導体レーザ素子駆動装置８を制御する場合のフローチャートを示した図である。
【００８８】
入力装置１７が半導体レーザ素子７の位置決め調整の指示を受け、ＣＰＵ１３に伝達したとき、ステップＦ１に移る。ステップＦ１で、記憶装置１８から電気信号情報を読出して、ステップＦ２に移る。ステップＦ２では、半導体レーザ素子駆動装置ドライバ１０に指令を出して、半導体レーザ素子駆動装置８によって、半導体レーザ素子７の位置を微調整し、ステップＦ３に移る。ステップＦ３では、ＣＰＵ１３は対物レンズ駆動装置ドライバ２４から得られた情報を基にして対物レンズ３の位置を検出し、ステップＦ４に移る。ステップＦ４では、記憶装置１８から検出した位置に対応するレンズ補正情報を読出し、ステップＦ５に移る。ステップＦ５では、半導体レーザ素子駆動装置ドライバ１０に指令を出して、読出した対物レンズ補正情報に基づき半導体レーザ素子駆動装置８によって、半導体レーザ素子７の位置を微調整し、ステップＦ６に移る。本実施形態では、ＣＰＵ１３は、最初から対物レンズ３の移動に追従して半導体レーザ素子７を同時に移動させる制御を行なう。ステップＦ６では、光記録媒体１の再生または記録処理が終了したか否かを判断する。再生または記録処理が終了していないと判断した場合には、ステップＦ７に移る。再生または記録処理が終了したと判断した場合には、ステップＦ９に移る。ステップＦ７では、再び対物レンズ３の位置を検出してステップＦ８に移る。ステップＦ８では、検出した対物レンズ３の位置に変化があるか否かを判断する。変化があると判断した場合には、ステップＦ４に移る。変化がないと判断した場合には、ステップＦ６に移る。ステップＦ９では、半導体レーザ素子駆動装置ドライバ１０に電圧印加停止命令を出して終了する。
【００８９】
本実施形態では、ＣＰＵ１３が、半導体レーザ素子７の光軸が対物レンズ３の中心に近づくように半導体レーザ素子駆動装置８を駆動させて半導体レーザ素子７の姿勢を微調整することができるため、対物レンズ３だけを移動させてトラッキングした場合においても、自動的に対物レンズ３の光軸を補正してトラッキングエラー信号のノイズを改善することが可能となる。
【００９０】
図１９は、光ピックアップ部６０の動作時において、ＣＰＵ１３が、記憶された温度補正情報および対物レンズ補正情報を記憶装置１８から読出して、環境温度および対物レンズ３の位置に応じて半導体レーザ素子駆動装置８を駆動させるための制御を行う場合のフローチャートを示した図である。
【００９１】
入力装置１７が半導体レーザ素子７の位置決め調整の指示を受け、ＣＰＵ１３に伝達したとき、ステップＧ１に移る。ステップＧ１で、記憶装置１８から電気信号情報を読出してステップＧ２に移る。ステップＧ２では、半導体レーザ素子駆動装置ドライバ１０に指令を出して、半導体レーザ素子駆動装置８によって、半導体レーザ素子７の位置を微調整してステップＧ３に移る。ステップＧ３では、対物レンズ３の位置または環境温度を検出してステップＧ４に移る。ステップＧ４では、記憶装置１８から検出した位置に対応するレンズ補正情報および検出した温度に対応する温度補正情報を読出してステップＧ５に移る。ステップＧ５では、半導体レーザ素子駆動装置ドライバ１０に指令を出して、読出した対物レンズ補正情報および温度補正情報に基づき半導体レーザ素子駆動装置８によって、半導体レーザ素子７の位置を微調整してステップＧ６に移る。本実施形態では、ＣＰＵ１３は、最初から対物レンズ３の移動に追従して半導体レーザ素子７を同時に移動させる制御を行う。ステップＧ６では、光記録媒体１の再生または記録処理が終了したか否かを判断する。再生または記録処理が終了していないと判断した場合には、ステップＧ７に移る。再生または記録処理が終了したと判断した場合には、ステップＧ９に移る。ステップＧ７では、再び対物レンズ３の位置および環境温度を検出してステップＧ８に移る。ステップＧ８では、検出した対物レンズ３の位置または環境温度に変化があるか否かを判断する。変化があると判断した場合には、ステップＧ４に移る。変化がないと判断した場合には、ステップＧ６に移る。ステップＧ９では、半導体レーザ素子駆動装置ドライバ１０に電圧印加停止命令を出して終了する。
【００９２】
ＣＰＵ１３が、記憶された温度補正情報および対物レンズ補正情報を組合わせ、環境温度および対物レンズ３の位置に応じて半導体レーザ素子駆動装置８を駆動させることによって、温度依存性のない光ピックアップ装置を提供できるとともに、対物レンズ３だけを移動させてトラッキングした場合においても、自動的に対物レンズ３の光軸を補正してトラッキングエラー信号のノイズを改善することが可能となる。
【００９３】
図２０は、本発明の第９の実施の形態である光ピックアップ装置５６の構造を概略的に示した図である。光ピックアップ装置５６は、図９に示す光ピックアップ装置５３と同様の構成であり、光ピックアップ装置５６では、記憶装置１８は、半導体レーザ素子７を半導体レーザ素子７が設けられるべき位置に設けたときに受光素子６によって得られるフォーカスエラー信号情報およびトラッキングエラー信号情報を予め記憶する。ＣＰＵ１３は、受光素子６によって得られるフォーカスエラー信号情報およびトラッキングエラー信号情報が、記憶装置１８に記憶されたフォーカスエラー信号情報およびトラッキングエラー信号情報と一致するように半導体レーザ素子駆動装置８に電気的信号を与えるように制御する。
【００９４】
図２１は、光ピックアップ装置５６のコリメートレンズ４の位置がずれてしまった場合を概略的に示した図である。
【００９５】
図２２は、記憶されたフォーカスエラー信号情報およびトラッキングエラー信号情報と一致するように半導体レーザ素子駆動装置８に電気的信号を与えることによって、半導体レーザ素子７の姿勢を調整した場合を概略的に示した図である。
【００９６】
光学調整時のフォーカスエラー信号波形およびトラッキングエラー信号波形を記憶装置１８に記憶させておけば、例えば光ピックアップ装置５６のコリメートレンズ４の位置がずれてしまった場合でも、記憶されたこれらの信号波形と、実際のフォーカスエラー信号波形およびトラッキングエラー信号波形とを比較することによって、光ピックアップ装置の光学調整を電気制御によって、自動的に行うことが可能となる。
【００９７】
次に、本発明の第１０の実施の形態である光ピックアップ装置５０の発光素子の装着方法について説明する。たとえば、図６の半導体レーザ素子３０を取付けるときに用いられる。
【００９８】
図２３は、半導体レーザ素子用駆動装置８に固定された半導体レーザ素子７を、さらにハウジング２９に固定する前の光ピックアップ装置の一部の構造を概略的に示した図である。
【００９９】
図２４は、半導体レーザ素子駆動装置８にホットメルト型接着剤２１を使用して固定された半導体レーザ素子７およびハウジング２９に、紫外線硬化樹脂４３を塗布する様子を概略的に示した図である。
【０１００】
図２５は、ホットメルト型接着剤２１を加熱して、半導体レーザ素子駆動装置８を切り離した半導体レーザ素子７の構造を概略的に示した図である。前述の実施の形態と同様な構成には同様の参照符号を付して、その説明を省略する。
【０１０１】
半導体レーザ素子７は、接着剤によって半導体レーザ素子駆動装置８に固定される。半導体レーザ素子駆動装置８に固定された半導体レーザ素子７をハウジング２９に近接させて、半導体レーザ素子７およびハウジング２９にわたり、樹脂供給装置４８を用いて紫外線硬化樹脂４３を塗布する。半導体レーザ素子駆動装置８を駆動して、半導体レーザ素子７を移動させて光学調整を行った後に、紫外線の照射によって紫外線硬化樹脂４３を硬化させて、半導体レーザ素子７をハウジング２９に固定することによって装着する。ここで、紫外線硬化樹脂４３の材料としては、公知のものであってよく、ポリ塩化ビニル、塩化ビニル−酢酸ビニルコーポリマー、ビニルトルエン、クロルスチレン、p-tert-ブチルスチレン、ジビニルベンゼン、ビニルピロピオネート、ジアリルフタレート、ジアリルマレート、ジアリルフマレート、メチルメタアクリルレート、n-ブチルアクリレート、２−エチルへキシルアクリレート、ペンタエリスリット・アクリレート、トリエチレングリコールジアクリレート、ジクリシジルメタアクリレート、およびβ―ヒドロキシメチルメタアクリレート等がある。
【０１０２】
また、接着剤はホットメルト型接着剤２１を使用して半導体レーザ素子７を光ピックアップ装置に装着することによって、半導体レーザ素子７の位置決め調整後に半導体レーザ素子駆動装置８を取り外して再利用することが可能となる。
【０１０３】
この場合、半導体レーザ素子７を、半導体レーザ素子駆動装置８にホットメルト型接着剤２１によって固定し、半導体レーザ素子駆動装置８に固定された半導体レーザ素子７およびハウジング２９に紫外線硬化樹脂４３を塗布する。半導体レーザ素子駆動装置８を駆動することによって、半導体レーザ素子７を移動させて光学調整を行う。紫外線の照射によって紫外線硬化樹脂４４を硬化させて、半導体レーザ素子７をハウジング２９に固定することによって装着する。その後、ホットメルト型接着剤２１の融点より高く、紫外線硬化樹脂４３の融点よりも低い温度でホットメルト型接着剤２１を加熱して、半導体レーザ素子駆動装置８と、半導体レーザ素子７とを切り離す。
【０１０４】
ホットメルト型接着剤２１としては、公知のものであってよく、ポリエチレン単体、エチレンおよびエチレン共重合体、エチレン酢酸ビニル共重合体、エチレンメチルメタアクリレート共重合体、エチレンエチルメタアクリレート共重合体、エチレンエチルアクリレート無水マレイン酸共重合体、エチレンアクリル酸共重合体、アイオノマー樹脂、ポリアミド系樹脂、ポリエステル系樹脂、ナイロン系樹脂、ポリプロピレン系樹脂、酢酸ビニル共重合体系樹脂、およびポリメチルメタクリード系樹脂等の単独または混合したものを用いる。
【０１０５】
図２６は、ハウジング２９に固定した半導体レーザ素子７および半導体レーザ素子用駆動装置８の構造を示す平面図である。
【０１０６】
半導体レーザ素子７の突出部４５の光軸方向一端部と半導体レーザ素子用駆動装置８の支持体４２とは、ホットメルト型接着剤２１によって接着して固定される。
【０１０７】
ハウジング２９には、半導体レーザ素子本体４４を挿入する空間が形成される。半導体レーザ素子７は、半導体レーザ素子本体４４を前記空間に挿入され、突出部４５の光軸方向の他端部とハウジング２９の間に紫外線硬化樹脂４３を介在させて、突出部４５がハウジング２９に固定される。
【０１０８】
このように、半導体レーザ素子７を半導体レーザ素子駆動装置８にホットメルト型接着剤２１によって固定することによって、半導体レーザ素子駆動装置８の再利用が可能となり、コストダウンを図ることができる。また、出荷段階で半導体レーザ素子駆動装置８を取りはずすことが可能となり、光記録再生装置の小型化が図ることができる。
【図面の簡単な説明】
【０１０９】
【図１】本発明の第１の実施の形態である光ピックアップ装置５０を含む光記録再生装置１００の構造を概略的に示した図である。
【図２】半導体レーザ素子駆動装置８の構造を示す平面図である。
【図３】半導体レーザ素子駆動装置８の構造を示す正面図である。
【図４】組立て工程において、半導体レーザ素子７の位置決め調整を行う場合のフローチャートを示した図である。
【図５】本発明の第２の実施の形態である光ピックアップ装置における光ピックアップ部６１の構造を概略的に示した図である。
【図６】本発明の第３の実施の形態である光ピックアップ装置における光ピックアップ部６２の構造を概略的に示した図である。
【図７】本発明の第４の実施の形態である光ピックアップ装置の光ピックアップ部６３の構造を概略的に示した図である。
【図８】本発明の第５の実施の形態である光ピックアップ部６４の構造を概略的に示した図である。
【図９】本発明の第６の実施の形態である光ピックアップ装置５３の構造を概略的に示した図である。
【図１０】組立て工程において、半導体レーザ素子７の位置決め調整時の電気的信号を記憶装置１８に記憶させる場合のフローチャートを示した図である。
【図１１】ＣＰＵ１３が記憶された電気的信号を記憶装置１８から読出して、半導体レーザ素子駆動装置８を駆動するための制御を行う場合のフローチャートを示した図である。
【図１２】本発明の第７の実施の形態である光ピックアップ装置５４の構造を概略的に示した図である。
【図１３】ＣＰＵ１３が、環境温度の条件毎に半導体レーザ素子７の位置決め調整のための温度補正情報を、記憶装置１８に記憶させる場合のフローチャートを示した図である。
【図１４】ＣＰＵ１３が記憶された温度補正情報に基づいて、半導体レーザ素子駆動装置８を制御する場合のフローチャートを示した図である。
【図１５】本発明の第８の実施の形態である光ピックアップ装置５５の構造の一部を概略的に示した図である。
【図１６】対物レンズ３の光軸と半導体レーザ素子７の光軸とのずれを概略的に示した図である。
【図１７】半導体レーザ素子７の光軸が対物レンズ３の中心に近づくように半導体レーザ素子７の姿勢を微調整した場合を概略的に示した図である。
【図１８】ＣＰＵ１３が記憶された対物レンズ補正情報に基づいて、半導体レーザ素子駆動装置８を制御する場合のフローチャートを示した図である。
【図１９】ＣＰＵ１３が記憶された温度補正情報および対物レンズ補正情報に基づいて、半導体レーザ素子駆動装置８を制御する場合のフローチャートを示した図である。
【図２０】本発明の第９の実施の形態である光ピックアップ装置５６の構造を概略的に示した図である。
【０１１０】
【図２１】光ピックアップ装置５６のコリメートレンズ４の位置がずれてしまった場合を概略的に示した図である。
【図２２】記憶されたフォーカスエラー信号情報およびトラッキングエラー信号情報に基づいて、半導体レーザ素子７の姿勢を調整した場合を概略的に示した図である。
【図２３】半導体レーザ素子用駆動装置８に固定された半導体レーザ素子７を、さらにハウジング２９に固定する前の光ピックアップ装置の一部の構造を概略的に示した図である。
【図２４】半導体レーザ素子７およびハウジング２９に紫外線硬化樹脂４３を塗布する様子を概略的に示した図である。
【図２５】ホットメルト型接着剤２１を加熱して、半導体レーザ素子駆動装置８を切り離した半導体レーザ素子７の構造を概略的に示した図である。
【図２６】ハウジング２９に固定した半導体レーザ素子７および半導体レーザ素子用駆動装置８の構造を示す平面図である。
【符号の説明】
【０１１１】
１  光記録媒体
２  スピンドルモータ
３  対物レンズ
４,２６  コリメートレンズ
５,２７  ビームスプリッタ
６  受光素子
７,２３,３０,３２  半導体レーザ素子
８,２２,３３  半導体レーザ素子駆動装置
９  立上げミラー
１０,２８,３４  半導体レーザ素子駆動装置ドライバ
１１,２５,３１  半導体レーザ素子ドライバ
１２  スピンドルモータドライバ
１３  ＣＰＵ
１４  集光レンズ
１５  対物レンズ駆動装置
１６  信号表示装置
１７  入力装置
１８  記憶装置
１９  温度検出素子
２０  半固定抵抗器
２１  ホットメルト型接着剤
２４  対物レンズ駆動装置ドライバ
２９  ハウジング
３８,３９  コイル
４０,４１  磁性体
４２  支持体
４３  紫外線硬化樹脂
４４  半導体レーザ素子本体
４５  半導体レーザ素子突出部
４６  半導体レーザ素子接続端子
４７  挿通孔
４８  樹脂供給装置
５０,５１,５２,５３,５４,５５,５６  光ピックアップ装置
６０,６１,６２,６３,６４  光ピックアップ部
１００  光記録再生装置
【図１】
2008152880.tif 000003
【図２】
2008152880.tif 000004
【図３】
2008152880.tif 000005
【図４】
2008152880.tif 000006
【図５】
2008152880.tif 000007
【図６】
2008152880.tif 000008
【図７】
2008152880.tif 000009
【図８】
2008152880.tif 000010
【図９】
2008152880.tif 000011
【図１０】
2008152880.tif 000012
【図１１】
2008152880.tif 000013
【図１２】
2008152880.tif 000014
【図１３】
2008152880.tif 000015
【図１４】
2008152880.tif 000016
【図１５】
2008152880.tif 000017
【図１６】
2008152880.tif 000018
【図１７】
2008152880.tif 000019
【図１８】
2008152880.tif 000020
【図１９】
2008152880.tif 000021
【図２０】
2008152880.tif 000022
【図２１】
2008152880.tif 000023
【図２２】
2008152880.tif 000024
【図２３】
2008152880.tif 000025
【図２４】
2008152880.tif 000026
【図２５】
2008152880.tif 000027
【図２６】
2008152880.tif 000028